(57)【要約】  【課題】  ボタン配列ブロックのブラインドタッチを容易にする。  【解決手段】  筐体１２はボタン配列ブロック２４を備えている。ガイド突起２８は、ボタン配列ブロック２６の周囲の所定の位置で、ボタン配列ブロック２６の脇に、筐体１２から突出するように設けられている。ガイド突起２６は、ボタンの位置を把握するための基準になり、また、誤操作を防止する機能をもつ。【選択図】  図１
2005182705.tif 000002
【特許請求の範囲】
【請求項１】
筐体と、
前記筐体に設けられたボタン配列ブロックと、
前記ボタン配列ブロックの周囲の所定の位置で、前記ボタン配列ブロックの脇に前記筐体から突出するように設けられたガイド突起と、
を備えることを特徴とする操作装置。
【請求項２】
前記ガイド突起は、前記ボタン配列ブロックの隣で前記筐体に設けられた隣接操作部材と前記ボタン配列ブロックとの間に配置されていることを特徴とする請求項１に記載の操作装置。
【発明の詳細な説明】
【技術分野】
【０００１】
本発明は、ボタン配列型の操作装置に関するものである。
【背景技術】
【０００２】
従来、ボタン配列ブロックを備える操作装置は各種の用途に適用されている。典型的なボタン配列ブロックとしてはテンキーが挙げられる。パーソナルコンピュータの操作装置としてのキーボードにテンキーが備えられていることはいうまでもないが、その他にも各種の操作装置にテンキーが備えられている。
【０００３】
監視カメラの操作装置もまた、ボタン配列ブロックが好適に備えられる装置である。ボタン配列ブロックは、例えば、複数の監視カメラの映像を切り替える操作のために備えられる（例えば、特許文献１参照）。
【０００４】
上記のようなカメラ切替え用のボタン配列ブロックは、操作頻度が高く、ブラインドタッチでの操作が望まれる操作部材である。操作者が操作に習熟していれば、モニタを見ながらボタン配列ブロックをブラインドタッチで頻繁に操作し、これにより必要な映像を次々と迅速にモニタに映し出すことができる。
【特許文献１】特開平１１−４１５９０号公報（第３−４ページ、図１）
【発明の開示】
【発明が解決しようとする課題】
【０００５】
しかしながら、従来の操作装置では、操作に習熟しないと、ボタン配列ブロックのブラインドタッチが容易でないという問題がある。パーソナルコンピュータのテンキーのように、ブラインドタッチを容易にするために中央のボタンに突起を設ける例も見られるが、最初に中央のボタンをブライドタッチで探すときにボタンにそっと触れる必要があり、この作業が煩わしい。また、突起の有無で複数の形状のボタンが必要であり、そのために複数の金型が必要で、コスト的に不利であるという難点がある。
【０００６】
本発明は上記課題を解決するためになされたものであり、その目的は、ボタン配列ブロックのブラインドタッチを容易に行える操作装置を提供することにある。
【課題を解決するための手段】
【０００７】
本発明の操作装置は、筐体と、前記筐体に設けられたボタン配列ブロックと、前記ボタン配列ブロックの周囲の所定の位置で、前記ボタン配列ブロックの脇に前記筐体から突出するように設けられたガイド突起とを備える。
【０００８】
この構成により、ボタン配列ブロックの脇にガイド突起を設けたので、ガイド突起がボタンの位置の基準になり、ガイド突起からの位置関係でボタンの位置を操作者に容易に把握させることができ、ボタン配列ブロックのブラインドタッチを容易にすることができる。
【０００９】
また、本発明の操作装置において、前記ガイド突起は、前記ボタン配列ブロックの隣で前記筐体に設けられた隣接操作部材と前記ボタン配列ブロックとの間に配置されている。
【００１０】
この構成により、隣接操作部材を操作する操作者の手がボタン配列ブロックのボタンに誤って触れるのを防ぐことができ、誤操作を低減できる。
【発明の効果】
【００１１】
本発明は、ボタン配列ブロックの脇にガイド突起を設けることにより、ボタンの位置を操作者に容易に把握させることができ、ボタン配列ブロックのブラインドタッチを容易にすることができるという効果を有する操作装置を提供することができるものである。
【発明を実施するための最良の形態】
【００１２】
以下、本発明の実施の形態の操作装置について、図面を用いて説明する。本実施の形態では、監視カメラの操作装置に本発明が適用される。
【００１３】
図１は、本発明の実施の形態の操作装置を示す斜視図であり、図２は平面図である。
【００１４】
図１および図２において、操作装置１０は、監視カメラシステムのシステムコントローラの操作パネルであり、樹脂製の筐体１２を有し、筐体１２には各種の操作部材が配置されている。各操作部材には、監視カメラを操作したり、モニタの映像を切り替えたり、過去に記録された映像をモニタに表示させたりするための機能が割り当てられている。
【００１５】
まず、操作装置１０の中央エリア１４を見ると、奥側にディスプレイが備えられ、その手前に複数のボタンおよびＬＥＤが配列されている。そして、中央エリア１４の一番手前には、ダイヤル式のつまみ２０が備えられている。つまみ２０は、録画機器操作系の操作部材であり、記録映像をモニタに表示するときに操作される。
【００１６】
また、操作装置１０の左エリア１６には、マトリックス状にボタン群が配置されたボタン配列ブロック２２が設けられており、右エリア１８にも同様に、マトリックス状にボタン群が配置されたボタン配列ブロック２４が設けられている。
【００１７】
図３は、右エリア１８のボタン配列ブロック２４を示している。ボタン配列ブロック２４は、パーソナルコンピュータのキーボードでよく見られるタイプのボタンで構成されている。ボタン配列ブロック２４の下側には基板が備えられており、各ボタンが押されると、ボタンの下側のスイッチが閉じ、ボタン操作に応じた処理が基板上の回路でなされる。
【００１８】
図３に示すように、ボタン配列ブロック２４は、６行、３列で合計１８個のボタンを備えている。各ボタンは樹脂製であり、１８個のボタンは同じ形状を有する。１８個のボタンは同じ金型で形成されてよい。
【００１９】
これら１８個のボタンのうち、下側の４行の１２個のボタンは、カメラ切替え操作用のテンキーボタン２６である。テンキーボタン２６の第１行には、「１」「２」「３」の数字ボタンが配列され、同じく、第２行には「４」「５」「６」の数字ボタン、第３行には「７」「８」「９」の数字ボタンが配列されている。そして、第４行には、「ＭＯＮ（モニタ）」ボタン、「０」ボタンおよび「ＣＡＭ（カメラ）」ボタンが配列されている。
【００２０】
テンキーボタン２６の機能は下記の通りである。数字ボタンが押され、次に、「ＣＡＭ」ボタンが押されると、カメラの選択が、監視カメラシステムの制御回路により認識される。また、数字ボタンが押され、次に、「ＭＯＮ」ボタンが押されると、モニタの選択が、監視カメラシステムの制御回路により認識される。
【００２１】
例えば、操作者が、「３」ボタン、「ＣＡＭ」ボタン、「２」ボタン、「ＭＯＮ」ボタンを順に操作したとする。この場合、３番カメラと２番モニタが選択される。監視カメラシステムは、３番カメラからの映像を２番モニタへと映し出す。
【００２２】
このようにして、テンキーボタン２６は、複数のカメラの映像を、複数のモニタに振り分けて映すために使用される。
【００２３】
また、図示のように、「２」〜「９」ボタンは文字入力機能も兼ねており、「ＣＡＭ」ボタンはＥＮＴＥＲ（エンター）機能も兼ねており、「ＭＯＮ」ボタンはＥＳＣ（エスケイプ）機能も兼ねている。例えば、過去の記録映像がモニタに表示されているときに「ＭＯＮ」ボタンが押されると、ＥＳＣの操作が監視カメラシステムに認識される。そして、記録映像に代わってライブ映像がモニタに映し出される。
【００２４】
次に、図４を参照し、本実施の形態の特徴的な構成について説明する。図４は、筐体１２における右エリア１８の下方部分の拡大図であり、図４に示すように、本実施の形態では、筐体１２にガイド突起２８が設けられている。ガイド突起２８は、図１〜図３においても示されている。
【００２５】
ガイド突起２８は、ボタン配列ブロック２４の周囲の所定の位置で、ボタン配列ブロック２４の脇に設けられている。本実施の形態の場合、ガイド突起２８の位置は、ボタン配列ブロック２４の左下であり、「ＭＯＮ」ボタンの左脇である。
【００２６】
ガイド突起２８は、縦方向に細長く、ボタンに沿った壁のような形状を有しており、壁の長さはボタン１個とほぼ等しい。また、ガイド突起２８は、筐体１２から突き出すように設けられており、ガイド突起２８の高さは、ボタンの半分程度である。
【００２７】
また、ガイド突起２８は、樹脂製であり、筐体１２に取付および取外しが可能に設けられている。図示されないが、ガイド突起２８は足部を有し、この足部が、筐体１２の穴に嵌め込まれている。変形例としては、筐体１２とガイド突起２８が一体成形されてもよい。
【００２８】
次に、ガイド突起２８の機能を説明する。ガイド突起２８は、下記のように、操作者をガイドして、ボタン配列ブロック２４、特に、テンキーボタン２６のブラインドタッチを容易にする機能をもつ。
【００２９】
操作者は、モニタを見ながら、親指を下方へ突き出した状態で、右手をボタン配列ブロック２４の右下の辺りへ移動する。これにより、操作者の親指がガイド突起２８にぶつかることになる。
【００３０】
操作者は、ガイド突起２８を基準にして、ガイド突起２８との位置関係でボタン配列ブロック２４の各ボタンの位置を把握できる。そして、操作者は、ボタン配列ブロック２４の適当なボタンに指を置き、以降の操作を行う。このとき、親指はガイド突起２８から離されてよい。
【００３１】
例えば、「４」「５」「６」のボタンに人差し指、中指および薬指が置かれる。そして、これらのボタンが押され、また、これらのボタンから指を動かして他のボタンが押される。そして、前述したようなカメラ選択操作が行われる。
【００３２】
操作者は、随時、親指を伸ばし、伸ばした親指でガイド突起２８に触れて、基準位置を確認し、ボタン位置を再度把握して、正確なブラインドタッチを続けることができる。
【００３３】
このようにして、ガイド突起２８は、ボタン配列ブロック２４を操作する手の親指が触れやすい位置、本実施の形態では右手親指が触れやすいように右下隅に配置されており、親指ガイドとして機能し、親指および他の指のホームポジションを操作者に把握させ、ブラインドタッチを容易にする。
【００３４】
また、ガイド突起２８は、下記のように、誤操作を防止するバリアの機能も持っている。中央エリア１４のつまみ２０は、前述したように、録画機器操作系の機能を有している。操作者が、モニタを見ながらつまみ２０を操作して、記録映像をモニタに表示させているとする。
【００３５】
本実施の形態では、操作装置１０が卓上型であり、コンパクトに構成されており、つまみ２０とボタン配列ブロック２４は図示のように近接している。したがって、つまみ２０を回すと、操作者の手が右エリア１８のボタン配列ブロック２４の近くを通る。
【００３６】
ここで、ボタン配列ブロック２４において、左下の「ＭＯＮ」ボタンは、前述のように、モニタ選択機能とＥＳＣ機能を兼ねている。記録映像の再生中に、つまみ２０を操作する手が不用意に「ＭＯＮ」ボタンに触れると、操作者の意図に反してモニタの映像が記録映像からライブ映像に戻ってしまう。
【００３７】
しかし、本実施の形態ではガイド突起２８が備えられており、バリアの機能を果たす。すなわち、つまみ２０を操作する手がガイド突起２８に当たるので、ボタン配列ブロック２４のボタンが不用意に押される事態が回避される。
【００３８】
以上に説明したように、本発明の実施の形態の操作装置１０によれば、ボタン配列ブロック２４の脇に筐体１２から突出するガイド突起２８を設けたので、ガイド突起２８がボタンの位置の基準になり、ガイド突起２８からの位置関係でボタンの位置を操作者に容易に把握させることができ、ボタン配列ブロック２４のブラインドタッチを容易にすることができる。
【００３９】
また、本実施の形態では、ボタン配列ブロック２４と隣接操作部材（図１の例ではつまみ２０）との間にガイド突起２８を設けたので、隣接操作部材を操作する操作者の手がボタン配列ブロック２４のボタンに誤って触れるのを防ぐことができ、誤操作を低減できる。
【００４０】
さらに、本実施の形態では、上記のようにブラインドタッチが容易であり、誤操作を防止できるので、ボタン配列ブロックを他の操作部材から独立して設けなくてもよい。図１の例では、ボタン配列ブロック２８がつまみ２０と近接して設けられている。また、ボタン配列ブロック２８内で見ても、テンキーボタン２６のブロックを他のボタンから独立させず、一緒に設けている。このように、ボタン配列ブロックを独立して配置しなくてよく、ボタン配列ブロックを他の操作部材と近接させることができ、操作装置を小型化できる。図１に示すような卓上型の操作装置では、小型化が特に有利である。
【００４１】
さらに、本実施の形態では、従来技術のように中央のボタンに突起を設けることも不要であり、これによりボタンの形状を統一でき、金型の種類を減らすこともでき、コスト的にも有利である。
【００４２】
なお、本発明は上述の実施の形態に限定されず、当業者が本発明の範囲内で上述の実施の形態を変形可能なことはもちろんである。
【００４３】
例えば、上述の実施の形態では、一つの小さなガイド突起が設けられた。しかし、本発明の範囲内で、ガイド突起の配置はこれに限定されず、ガイド突起は、ボタン配列ブロックの周囲で、ボタン配列ブロックの脇に設けられればよい。例えば、ガイド突起はテンキーボタンの４隅に設けられてもよい。ガイド突起の形状も上記に限定されず、例えば、ガイド突起がより長くてもよい。
【産業上の利用可能性】
【００４４】
以上のように、本発明にかかる操作装置は、ブラインドタッチを容易にできるという効果を有し、監視カメラ等の操作装置として有用である。
【図面の簡単な説明】
【００４５】
【図１】本発明の実施の形態における操作装置の斜視図
【図２】本発明の実施の形態における操作装置の平面図
【図３】本発明の実施の形態における操作装置の右エリアに設けられたボタン配列ブロックを示す図
【図４】本発明の実施の形態における操作装置のガイド突起を示す図
【符号の説明】
【００４６】
１０  操作装置
１２  筐体
１４  中央エリア
１６  左エリア
１８  右エリア
２０  つまみ
２２  ボタン配列ブロック
２４  ボタン配列ブロック
２６  テンキーボタン
２８  ガイド突起
【図１】
2005182705.tif 000003
【図２】
2005182705.tif 000004
【図３】
2005182705.tif 000005
【図４】
2005182705.tif 000006